(57)【特許請求の範囲】
【請求項１】
３条の穀稈引起し通路を構成すべく横向き突出姿勢の引起ラグ２を上方に移行させながら穀稈を引起す３つの穀稈引起し装置１，１，１を横方向に所定間隔置きに並設し、前記穀稈引起し装置１の引起しケ−ス５を前面ケ−ス５ａと後面ケ−ス５ｂとから構成し、該引起しケ−ス５の上部を覆う前面カバ−６及び後面カバ−７を前記後面ケ−ス５ｂに取付けたブラケット９に締結固定し、前記前面カバ−６の左右２カ所に開口窓１４，１４を設け、該開口窓１４，１４に前照灯１５を臨ませるにあたり、該前照灯１５を前記前面カバ−６と後面カバ−７との間の空間内に介装すると共に、該前照灯１５側のステ−１６及び取付片１７を前記ブラケット９側のステ−１８及び前記後面ケ−ス５ｂ側の取付片１９に締結固定する構成とし、前向き突出姿勢の引起ラグ４を上方に移行させながら穀稈を引起す縦回し型引起し装置３を設けるにあたり、前記穀稈引起し装置１側の引起し駆動軸２７と前記縦回し型引起し装置３側の縦引起し入力軸２９とを嵌脱自在にスプライン嵌合して連動する構成とし、分草杆２２側の分草体取付ステ−２３に前記縦回し型引起し装置３側の取付ステ−２４を取付けると共に前記縦回し型引起し装置３の上端部をノブ３１によって前記前面ケ−ス５ａ側に締結固定して前記縦回し型引起し装置３を前記穀稈引起し装置１の前部に配設する構成とし、刈取部の側方を覆うサイドカバ−３２を設けるにあたり、該サイドカバ−３２の一側端に設けた筒状の嵌合筒３３を前記穀稈引起し装置１の引起しケ−ス５側面部に設けた上下方向のピン軸３４に上から差し込んでセットして該サイドカバ−３２を前記ピン軸３４を回動中心として揺動開閉自在に構成すると共に、サイドカバ−３２の内面側に前後幅方向に沿って横たわるように棒状の係止杆３５を固着して、該係止杆３５をガイド部材３９によって刈取フレ−ム３７側に設けた弾性材からなる係合保持具３８側に誘導案内して、サイドカバ−３２を閉じた状態において該係止杆３５を前記係合保持具３８に係脱自在に係止保持させるように構成したことを特徴とするコンバインの刈取部。
【発明の詳細な説明】
【０００１】
【発明の属する技術分野】
本発明は、穀稈引起し装置のカバ−構造に関し、コンバイン等の刈取収穫機に利用される。
【０００２】
【従来の技術】
従来、実開昭５５−１６６４４６号公報に記載の技術がある。
【０００３】
【発明が解決しようとする課題】
この発明は、上記公報記載の従来技術の問題点を解消することにある。すなわち、引起しカバ−の着脱容易化、並びに刈取部の前方を照射する前照灯を引起しカバ−内に納めてこの前照灯自体の保護を図ることを目的とする。
【０００４】
【課題を解決するための手段】
この目的達成のため、本発明は次のような技術的手段を講じた。
【０００５】
すなわち、３条の穀稈引起し通路を構成すべく横向き突出姿勢の引起ラグ２を上方に移行させながら穀稈を引起す３つの穀稈引起し装置１，１，１を横方向に所定間隔置きに並設し、前記穀稈引起し装置１の引起しケ−ス５を前面ケ−ス５ａと後面ケ−ス５ｂとから構成し、該引起しケ−ス５の上部を覆う前面カバ−６及び後面カバ−７を前記後面ケ−ス５ｂに取付けたブラケット９に締結固定し、前記前面カバ−６の左右２カ所に開口窓１４，１４を設け、該開口窓１４，１４に前照灯１５を臨ませるにあたり、該前照灯１５を前記前面カバ−６と後面カバ−７との間の空間内に介装すると共に、該前照灯１５側のステ−１６及び取付片１７を前記ブラケット９側のステ−１８及び前記後面ケ−ス５ｂ側の取付片１９に締結固定する構成とし、前向き突出姿勢の引起ラグ４を上方に移行させながら穀稈を引起す縦回し型引起し装置３を設けるにあたり、前記穀稈引起し装置１側の引起し駆動軸２７と前記縦回し型引起し装置３側の縦引起し入力軸２９とを嵌脱自在にスプライン嵌合して連動する構成とし、分草杆２２側の分草体取付ステ−２３に前記縦回し型引起し装置３側の取付ステ−２４を取付けると共に前記縦回し型引起し装置３の上端部をノブ３１によって前記前面ケ−ス５ａ側に締結固定して前記縦回し型引起し装置３を前記穀稈引起し装置１の前部に配設する構成とし、刈取部の側方を覆うサイドカバ−３２を設けるにあたり、該サイドカバ−３２の一側端に設けた筒状の嵌合筒３３を前記穀稈引起し装置１の引起しケ−ス５側面部に設けた上下方向のピン軸３４に上から差し込んでセットして該サイドカバ−３２を前記ピン軸３４を回動中心として揺動開閉自在に構成すると共に、サイドカバ−３２の内面側に前後幅方向に沿って横たわるように棒状の係止杆３５を固着して、該係止杆３５をガイド部材３９によって刈取フレ−ム３７側に設けた弾性材からなる係合保持具３８側に誘導案内して、サイドカバ−３２を閉じた状態において該係止杆３５を前記係合保持具３８に係脱自在に係止保持させるように構成したことを特徴とするコンバインの刈取部としたものである。
【０００６】
【作用】
前面カバ−と後面カバ−は引起しケ−スに取付けたブラケットに対して簡単に着脱することができる。長稈が引起しケ−スの上部に絡み付いてもカバ−を取外すことによってその絡み付きを容易に除去することができる。
【０００７】
刈取部の前方を照射する前照灯は前面カバ−と後面カバ−との間の空間内に納めるので、穀稈の絡み付きがなく、安全に保護することができる。
【０００８】
ノブ３１を回動させて引起しケ−ス５に対する固定状態を解除すると、縦回し型引起し装置３は下端側を回動中心として上端側を前方へ大きく揺動開放させることができる。このとき、縦引起し入力軸２９は、引起し駆動軸２７から抜け外れる。
【０００９】
サイドカバ−３２をワンタッチでオ−プンすることができる。また、係止杆３５がサイドカバ−３２の補強を兼ねることができて、該サイドカバ−３２自体の剛性がアップする。
【００１０】
【発明の効果】
引起しカバ−の着脱が容易であるため、引起しケ−スの上部に穀稈が絡み付いても簡単に除去することができる。
【００１１】
前照灯はカバ−内に納めるので、前照灯をカバ−の前面或は上部に露出して取付けていた従来装置のように穀稈の絡み付きがなく、安全に保護することができるものである。
【００１２】
ノブ３１を回動させて引起しケ−ス５に対する固定状態を解除すると、縦回し型引起し装置３は下端側を回動中心として上端側を前方へ大きく揺動開放させることができる。
【００１３】
サイドカバ−３２をワンタッチでオ−プンすることができる。また、係止杆３５がサイドカバ−３２の補強を兼ねることができて、該サイドカバ−３２自体の剛性をアップさせることができる。
【００１４】
【発明の実施の形態】
以下本発明の１実施例を図面に基づいて説明する。
【００１５】
１は横向き突出姿勢の引起ラグ２を上方に移行させながら穀稈を引起す横回し型引起し装置で、３条の穀稈引起し通路を構成すべく３つの穀稈引起し装置１，１，１を横方向所定間隔置きに並設している。３は前向き突出姿勢の引起ラグ４を上方に移行させながら穀稈を引起す縦回し型引起し装置で、前記横回し型引起し装置１の前部に配設している。
【００１６】
５は引起し装置１の引起しケ−スで、前面ケ−ス５ａと後面ケ−ス５ｂとからなる。
【００１７】
６及び７は引起しケ−ス５の上部を覆う前面カバ−及び後面カバ−で、これらカバ−６，７は、後面ケ−ス５ｂに対しボルト８により取付けたブラケット９にビス１０，１１でもって着脱自在に締付固定している。１０ａは前面カバ−６側に設けたビス孔、１０ｂはブラケット９側に設けたビス孔、１１ａは後面カバ−７側に設けたビス止め用切欠孔、１１ｂはブラケット９側に設けたビス孔である。  前記ブラケット９側には突起１２が突設されてあり、後面カバ−７側にはその突起１２に嵌合係止する係止孔１３が設けられている。
【００１８】
前面カバ−６の左右２ヵ所には前照灯の開口窓１４，１４が設けられ、そして、その開口窓１４，１４に臨ませる前照灯１５は、前記前面カバ−６と後面カバ−７との間の空間内に介装すると共に、このステ−１６及び取付片１７を前記ブラケット９側のステ−１８及び前記後面ケ−ス５ｂに溶着した取付片１９にボルト２０，２１でもって締付固定している。
【００１９】
２２は分草杆、２３は分草体取付ステ−、２４は縦回し型引起し装置３の取付ステ−で、両ステ−２３，２４は２本の締付ボルト２５、２６でもって取付けている。
【００２０】
２７は引起し駆動軸、２８は引起し駆動スプロケット、２９は縦引起し入力軸で、ベベルギヤ機構３０を介して縦回し型引起し装置３を駆動するよう連動構成している。前記引起し駆動軸２７と縦引起し入力軸２９は、両軸嵌脱自在にスプライン嵌合している。そして、縦回し型引起し装置３の上端部がノブ３１によって前面ケ−ス５ａ側に締付固定されている。かかる構成によれば、ノブ３１を回動させて引起しケ−ス５に対する固定状態を解除し、そして、下端側の一方の締付ボルト２６を外しておけば、この縦回し型引起し装置３は下端側における他方の締付ボルト２５を回動中心として上端側を前方へ大きく揺動開放させることができる。このとき、縦引起し入力軸２９は、引起し駆動軸２７から抜け外れる。
【００２１】
３２は引起し刈取部の側方を覆うサイドカバ−で、このサイドカバ−３２は、一側端に設けた筒状の嵌合筒３３を引起しケ−ス５側面部に設けた上下方向のピン軸３４に上から差し込んでセットすると共に、この上下方向のピン軸３４を回動中心として揺動開閉自在に構成している。
【００２２】
３５はサイドカバ−３２の内面側に前後幅方向に沿って横たわるように取付座板３６を介して固着した棒状の係止杆であって、この係止杆３５は、前記サイドカバ−３２を閉じた状態で刈取フレ−ム３７側に設けた弾性材からなる係合保持具３８に係脱自在に係止保持させている。
【００２３】
なお、３９はガイド溝３９ａを有するガイド部材であって、前記係止杆３５を係合保持具３８に誘導案内するためのものであり、そのため、このガイド部材３９にはガイド溝３９ａに対応する位置において前記係合保持具３８を取付けた構成としている。
【００２４】
従って、かかる構成によれば、サイドカバ−３２はワンタッチでオ−プンすることができる。また、係止杆３５はサイドカバ−の補強を兼ねることができて、カバ−自体の剛性がアップする。
【図面の簡単な説明】
【図１】穀稈引起し装置の要部の正面図である。
【図２】同上要部の側面図である。
【図３】引起し装置要部の正面図である。
【図４】引起しカバ−の分解斜視図である。
【図５】引起し装置要部の側断面図である。
【図６】引起し装置要部の斜視図である。
【図７】引起し装置の要部の側面図である。
【図８】同上要部の正面図である。
【符号の説明】
１  穀稈引起し装置（横回し型）
２  引起しラグ
３  縦回し型引起し装置
４  引起しラグ
５  引起しケ−ス
５ａ 前面ケ−ス
５ｂ 後面ケ−ス
６  前面カバ−
７  後面カバ−
９  ブラケット
１４  開口窓
１５  前照灯
１６ ステ−
１７ 取付片
１８ ステ−
１９ 取付片
２２ 分草杆
２３ 分草体取付ステ−
２４ 取付ステ−
２７ 引起し駆動軸
２９ 縦引起し入力軸
３１ ノブ
３２ サイドカバ−
３３ 嵌合筒
３４ ピン軸
３５ 係止杆
３７ 刈取フレ−ム
３８ 係合保持具
３９ ガイド部材
【図１】
0003579915.tif 000002
【図２】
0003579915.tif 000003
【図３】
0003579915.tif 000004
【図４】
0003579915.tif 000005
【図５】
0003579915.tif 000006
【図６】
0003579915.tif 000007
【図７】
0003579915.tif 000008
【図８】
0003579915.tif 000009